(57)【要約】      （修正有）【課題】  使用時には大量の搬送物品の搬送に適い、不使用時に嵩ばることなく、保管や運搬に便利な収容箱付手押し運搬車を提供する。【解決手段】  後部に折畳み自在なハンドル枠３を立設した荷台２上に搬送物品を開口上端から収容する物品収容箱４を載置する。そして、前記物品収容箱４を、前記荷台２に重ね合わせた底壁構成片５と折畳み自在なシート体で成る前後の壁構成片６，７および前記底壁構成片５に重ね合わせ自在に連設し、かつ、上下の保形板部を折畳み自在に連設して成る左右の壁構成片８，９とで構成する。また、物品収容箱４の下方に基部を止着したバンド体で前記荷台２を巻回締付すると共に、後壁構成片に突出した止着手段で前記ハンドル枠３に着脱自在に止着する。【選択図】図１
2008006908.tif 000002
【特許請求の範囲】
【請求項１】
後部に折畳み自在なハンドル枠を立設した荷台上に搬送物品を開口上端から収容する物品収容箱を載置した手押し運搬車において、前記物品収容箱を、前記荷台に重ね合わせた底壁構成片と折畳み自在なシート体で成る前後の壁構成片および前記底壁構成片に重ね合わせ自在に連設し、かつ、上下の保形板部を折畳み自在に連設して成る左右の壁構成片とで構成し、該物品収容箱の下方に突出したバンド体で前記荷台に巻回締付けると共に、後壁構成片に突出した止着手段で前記ハンドル枠に着脱自在に止着した、手押し運搬車。
【請求項２】
前壁構成片と後壁構成片のそれぞれの内側に、保形板を挿脱自在に嵌合し、該保形板のそれぞれに、左右の壁構成片を接触させた、請求項１記載の手押し運搬車。
【発明の詳細な説明】
【技術分野】
【０００１】
本発明は、概し、宅配の際に用いる手押し運搬車に関するものである。
【背景技術】
【０００２】
宅配便に手押し運搬車の利用は不可欠となっているが、配達数の増加に伴って荷台上に収容箱を装置し、該収容箱に配達物品を収容して、配達量を上げる工夫がなされている。
【発明の開示】
【発明が解決しようとする課題】
【０００３】
前記従来例は、近距離間での配達作業に適うものであるが、トラックで移動する遠距離間の配達に際しては、搬送物品と共に目的地点で利用するための当該手押し運搬車を運ぶことになり、運ぶに際し、作業性の煩雑さから荷台上に収容箱を装置したままトラック荷台上に載せるため、場所を採りその分搬送物品の量を少なくしなければならないし、また、取扱い上も好適とはいえない。
【０００４】
本発明は、斯様な従来例の欠点に着目し、使用時には大量の搬送物品の搬送に適い、不使用時には嵩ばることのなく、保管や運搬に便利な収容箱付手押し運搬車を提供することを目的として創案したものである。
【課題を解決するための手段】
【０００５】
後部に折畳み自在なハンドル枠を立設した荷台上に搬送物品を開口上端から収容する物品収容箱を載置した手押し運搬車において、前記物品収容箱を、前記荷台に重ね合わせた底壁構成片と折畳み自在な板体で成る前後の壁構成片および前記底壁構成片に重ね合わせ自在に連設し、かつ、上下の保形板部を折畳み自在に連設して成る左右の壁構成片とで構成し、該物品収容箱の下方に突出したバンド体で前記荷台に巻回締付けると共に、後壁構成片に突出した止着手段で前記ハンドル枠に着脱自在に止着したことを基本的手段とする。そしてこの基本的手段に前壁構成片と後壁構成片のそれぞれの内側に、保形板を挿脱自在に嵌合し、該保形板のそれぞれに、左右の壁構成片を接触させた点を付加することにより、収容箱の箱状状態を確実に保持して使用上、例えば、荷の積み降しに不都合のない手押し運搬車を提供できる。
【発明の効果】
【０００６】
本発明によれば、収容箱部を荷台から取り外すことなく折り畳め、従って、保管上或いは運搬上不都合のない手押し運搬車を提供できる。
【実施例】
【０００７】
図面は本発明に係る手押し運搬車の一実施例を示し、図１は一部欠截正面図、図２は図１の一部拡大図、図３は斜視図、図４は物品収容箱の折り畳み状態を示す略示説明図、図５は物品収容箱の他の折り畳み状態を示す略示説明図である。
【０００８】
実施例の手押し運搬車Ａは、前方側の一対の自在車輪１，１と後方側の一対の固定車輪１´，１´で受支させた荷台２の、前記固定車輪１´，１´側の後方に折り畳み（起伏）自在にしハンドル枠３を立設し（折り畳み装置は図示省略してあるが、保管或いは搬送時にこの折り畳み装置を利用してハンドル枠３は荷台２に重ね合わされるように折り畳まれる）、荷台２上には物品収容箱４を着脱自在に装置して構成し、概し、宅配時に用いるものである。
【０００９】
前記物品収容箱４は、前記荷台２上に重ね合せた方形状の底壁構成片５に前後の壁構成片６，７と左右の壁構成片８，９をそれぞれ連設して構成した箱主体１０の左壁構成片８の上端に蓋片１１を連設して成るもので、左右の壁構成片８，９の前方側の下部にそれぞれ基部を止着したバンド体（紐体）１２，１２´を前記荷台２の前方側を巻き付けるようにして荷台２側に締付ける一方（前方側において荷台２に取付けることにより箱４の安定した取付け状態を得られる）、左右の壁構成片８，９の、それぞれの後端側の上下にそれぞれ基部を止着したバンド片１３（面ファスナーで構成するが手段は問わない）を前記ハンドル枠３の脚杆３ｂに巻き付けてハンドル枠３側に止着し、収容箱４の荷台２上の載置状態が保たれるようにしてある。
【００１０】
なお、バンド体１２，１２´同士の接続は、一方のバンド体１２の末端に設けた留め具１４に他の一方のバンド体１２´の端部を着脱自在に係止した手段を採るが、各バンド体１２，１２´を互いに結び付けても良く、要は、荷台２に着脱自在に組付け、収容箱４が荷台２から離脱しない構造であれば良く、前記のバンド片１３もハンドル枠３の脚杆３ｂに着脱自在に止着するものであれば、その手段を問わない。
【００１１】
前記底壁構成片５および前後の壁構成片６，７は、折り畳みのできる樹脂シートで構成し、前後の壁構成片６，７の上端部の内側と外側には面ファスナー１５Ａ，１５Ａ´を縫着し（後壁構成片７側は図示省略）、内側の該面ファスナー１５Ａを利用して内袋１６と保形板１７を着脱自在に接続できるようにしてある。
【００１２】
前記左右の壁構成片８，９は、前後の壁構成片６，７を構成する樹脂シートと同様の樹脂シートで形成した、上下の袋体内に樹脂製の芯板１９を収納して（左壁構成片８側は図示省略）、互いに連続する上下の保形板部９ａ，９ｂとで構成し（左壁構成片８側は図示省略）、上側の保形板部９ａ（壁構成片８，９）の上端部の内側と外側には前後の壁構成片６，７と同様に面ファスナー１５Ｂ，１５Ｂ´を縫着して配置してある。
【００１３】
実施例のものは、この内側の面ファスナー１５Ｂと前後の壁構成片６，７側の前記内側の面ファスナー１５Ａに上端開口の方形状の前記内袋１６の上端部周側に縫着した面ファスナー１５Ｃを着脱自在に止着して、内袋１６を収容箱４内に収納し、この内袋１６内に物品を収用して、当該物品を前記収容箱４に収用して収容箱４の内部の汚損を防止し、かつ、内袋１６によって防水機能させ、雨等による物品の漏れを防ぐようにしてある。
【００１４】
前記保形板１７は、前記側壁構成片８，９と同様に樹脂シートで構成した収納室内に樹脂製の芯板１９Ａを収用して構成した保形板体で成り、その一端側に縫着して設けた面ファスナー１５Ｄを、内袋１６の面ファスナー１５Ｃを下部において止着した面ファスナー１５Ａの上側部分に着脱自在に止着する一方、前記前後の各構成片６，７の内側に重ね合わせるようにして収容箱４内に嵌挿し、左右の両端に内袋１６部を介して側壁構成片８，９の保形板部８ａ，９ａが接触する位置に配したもので、側壁構成片８，９は、保形板部８ａ，９ａの境界部を中心にして折れ曲がろうとするが、この保形板１７が両側壁構成片８，９間に存在することによりそれは規制され、荷台２上の収容箱４の箱形状状態が保持される。
【００１５】
左側壁構成片８に連設した前記蓋片１１は、保形板１７と同様に樹脂製の袋体内に樹脂製の芯板２０を収納して構成した主体片２１の三方の自由端に舌部片２２を設け、該舌部片２２の内側面に収容箱４の外周面に設けた面ファスナー１５Ａ´，１５Ｂ´を着脱する面ファスナー１５Ｅを縫着して構成したものである。
【００１６】
そして、前記の通り、内袋１６を介して収容箱４内に物品を収用し、蓋片１１によって収容箱４の開口上端を閉じた状態で移動させ、移動後、当該現場において、例えば宅配作業後において、保形板１７を収容箱４外に取り出して側壁構成片６，７を相対する方向に押圧すると、左右の側壁構成片８，９は上下一対の保形板部８ａ，８ｂ、９ａ，９ｂに区画してあるので、その境界において図４又は図５で示すような折り畳みが行われ、その折り畳んだ状態の上に保形板１７（必要に応じて前後の壁構成片６，７から分離させて）と蓋片１１を重ね合わせることによって収容箱４を荷台から取り外すことなく、折り畳むことができるのである。
【００１７】
なお、部材の止着手段としての面ファスナー１５Ａ，１５Ａ´、１５Ｂ，１５Ｂ´、１５Ｃ，１５Ｃ´、１５Ｄ、１５Ｅは、ボタンのような雌雄の止め具で構成してもよい。
【図面の簡単な説明】
【００１８】
【図１】一部欠截正面図。
【図２】図１の一部拡大図。
【図３】斜視図。
【図４】物品収容箱の折り畳み状態を示す略示説明図。
【図５】物品収容箱の他の折り畳み状態を示す略示説明図。
【符号の説明】
【００１９】
２      荷台
３      ハンドル枠
４      物品収容箱
５      底壁構成片
６      前壁構成片
７      後壁構成片
８      左壁構成片
９      右壁構成片
【図１】
2008006908.tif 000003
【図２】
2008006908.tif 000004
【図３】
2008006908.tif 000005
【図４】
2008006908.tif 000006
【図５】
2008006908.tif 000007